(57)【要約】【課題】  対象物の加熱し過ぎを防止する加熱タイマ付きはんだごて及びはんだ付け方法を提供する。【解決手段】  対象物Ｔを加熱するコテ先１とそのコテ先１を保持する保持部２とを有するはんだごてにおいて、前記コテ先１を弾性部材３を介して前記保持部１に保持させ、前記弾性部材３が変形したときに加熱時間の計測を開始するタイマ４を設けた。対象物Ｔにコテ先１を押圧している時間、すなわち加熱時間が計測できるので、対象物Ｔの加熱し過ぎを防止することができる。【選択図】  図１
2005334966.tif 000002
【特許請求の範囲】
【請求項１】
対象物を加熱するコテ先とそのコテ先を保持する保持部とを有するはんだごてにおいて、前記コテ先を弾性部材を介して前記保持部に保持させ、前記弾性部材が変形したときに加熱時間の計測を開始するタイマを設けたことを特徴とする加熱タイマ付きはんだごて。
【請求項２】
前記コテ先と前記保持部との間に前記タイマをトリガするスイッチを設けたことを特徴とする請求項１記載の加熱タイマ付きはんだごて。
【請求項３】
前記タイマが計測した加熱時間が所定の時間に達したとき警報を発する警報器を設けたことを特徴とする請求項１又は２記載の加熱タイマ付きはんだごて。
【請求項４】
前記タイマが計測を開始するときの前記弾性部材の変形の大きさは、前記コテ先から対象物に適正な荷重がかかったときの大きさであることを特徴とする請求項１〜３いずれか記載の加熱タイマ付きはんだごて。
【請求項５】
対象物を加熱するコテ先を弾性部材を介して保持し、この弾性部材が変形したときに加熱時間の計測を開始することを特徴とするはんだ付け方法。
【発明の詳細な説明】
【技術分野】
【０００１】
本発明は、対象物の加熱し過ぎを防止する加熱タイマ付きはんだごて及びはんだ付け方法に関する。
【背景技術】
【０００２】
はんだごてを用いてはんだ付けを行う場合、はんだごてを対象物にある程度の時間接触させて対象物を加熱させる必要がある。この加熱時間（＝接触時間）は、作業者が時間を計測して判断するのではない。作業者は、はんだの濡れ（溶解の具合）や広がりを見て、十分に加熱がなされたという判断によってはんだごての接触を終了させるのである。
【０００３】
【特許文献１】実開平６−５４４５９号公報
【発明の開示】
【発明が解決しようとする課題】
【０００４】
はんだごての接触の終了は、作業者の感覚的な判断に頼っている。しかし、この判断は経験や熟練度によって個人差が大きい。
【０００５】
一方、対象物である電子部品には熱に弱いものがあり、加熱時間が長すぎると、対象物が劣化したり破壊されたりするおそれがある。
【０００６】
そこで、本発明の目的は、上記課題を解決し、対象物の加熱し過ぎを防止する加熱タイマ付きはんだごて及びはんだ付け方法を提供することにある。
【課題を解決するための手段】
【０００７】
上記目的を達成するために本発明のはんだごては、対象物を加熱するコテ先とそのコテ先を保持する保持部とを有するはんだごてにおいて、前記コテ先を弾性部材を介して前記保持部に保持させ、前記弾性部材が変形したときに加熱時間の計測を開始するタイマを設けたものである。
【０００８】
前記コテ先と前記保持部との間に前記タイマをトリガするスイッチを設けてもよい。
【０００９】
前記タイマが計測した加熱時間が所定の時間に達したとき警報を発する警報器を設けてもよい。
【００１０】
前記タイマが計測を開始するときの前記弾性部材の変形の大きさは、前記コテ先から対象物に適正な荷重がかかったときの大きさであってもよい。
【００１１】
また、本発明の方法は、対象物を加熱するコテ先を弾性部材を介して保持し、この弾性部材が変形したときに加熱時間の計測を開始するものである。
【発明の効果】
【００１２】
本発明は次の如き優れた効果を発揮する。
【００１３】
（１）対象物の加熱し過ぎを防止することができる。
【発明を実施するための最良の形態】
【００１４】
以下、本発明の一実施形態を添付図面に基づいて詳述する。
【００１５】
図１に示されるように、本発明に係るはんだごては、対象物Ｔに接触・押圧されて対象物Ｔを加熱するコテ先１と、そのコテ先１を保持する保持部２と、コテ先１と保持部２との間に介在してコテ先１の弾性的な移動を許容する弾性部材３と、弾性部材３が所定の大きさ変形したときに加熱時間の計測を開始するタイマ４と、コテ先１と保持部２との間に配置されてタイマ４をトリガするスイッチ５とを備える。
【００１６】
コテ先１は、適宜な熱容量を持つ部材をほぼ円柱状に形成し、内部に電熱ヒータ（図示せず）を収容したものである。コテ先１の先端は対象物Ｔの所望する微細部分を選んで接触できるよう径を細めてあり、最先端は適宜な面積を有する平坦面になっている。
【００１７】
保持部２は、作業者やロボットがはんだごてを把持するためのグリップであり、ほぼ円柱状に形成される。保持部２には、コテ先１を長手方向移動自在に保持・案内するためのバー６が設けられている。
【００１８】
弾性部材３は、例えば弦巻ばねであり、その伸縮方向をコテ先１と保持部２の長手方向に向け、バー６の周囲に配置される。弾性部材３は、弦巻ばねに限らず板ばね、ゴム、空気ばねなどを用いてよい。
【００１９】
タイマ４は、例えば電子回路で構成され、保持部２の内部に収容される。タイマ４には、計測した加熱時間を表示する表示器を持たせてもよく、この実施の形態では表示器７が保持部２の表面に設けられている。タイマ４には、計測した加熱時間が予め設定した時間に達すると警報（音など）を発する警報器（図示せず）を付加してもよい。
【００２０】
スイッチ５は、例えばマイクロスイッチであり、コテ先１と保持部２との間に挟み設けることで、コテ先１が保持部２から所定の距離に近づいたときに作動するようになっている。この距離は、コテ先１から対象物Ｔに適正な荷重がかかったときに弾性部材３に現れる変形の大きさに合わせてある。ここでは、スイッチ５はコテ先１が保持部２にほぼ接する位置で作動するように設定されている。このスイッチ５は、タイマ４の電子回路につながっており、計測開始をトリガするようになっている。スイッチ５は、マイクロスイッチに限らず、導体や導電ゴムなどを適宜に配置した各種のスイッチを使用することができる。
【００２１】
次に、このはんだごての動作を説明する。
【００２２】
図１のはんだごてにおいて、電熱ヒータによりコテ先１を十分に温めた状態で、コテ先１を対象物Ｔ（より詳しくは所望する微細部分）に押し当てたとする。コテ先１は弾性部材３によって弾性的に支持されているため、コテ先１から対象物Ｔに加えた押圧力がコテ先１に反力として返ってくると、図２に示されるように、弾性部材３が変形することでコテ先１が移動する。このとき、コテ先１はバー６によって長手方向のみに移動が許容されているので、バー６に案内されて保持部２に向かって移動することになる。
【００２３】
コテ先１から対象物Ｔに加えた押圧力が対象物Ｔには不具合を与えない適宜な押圧力となったとき、コテ先１が保持部２にほぼ接する位置まで移動してくる。これによりスイッチ５が作動する。スイッチ５が作動することにより、タイマ４が起動されて加熱時間の計測を開始する。
【００２４】
その後、はんだごてを対象物Ｔから離すと、弾性部材３を変形させていた力が無くなるので、図１に示されるように、弾性部材３はもとの長さに戻る。このときコテ先１が保持部２から遠ざかり、コテ先１に押されていたスイッチ５は非作動となる。スイッチ５が非作動となったことでタイマ４は時間計測を停止し、これまで計測した時間をクリアする。
【００２５】
このような動作により、はんだごてを対象物Ｔに接触させて対象物Ｔを加熱している時間が容易に計測される。その計測時間は表示器７に表示されるので、作業者にもよく分かる。また、このように加熱時間が定量的に計測されるので、経験や熟練度によって加熱時間に個人差が現れることがなくなり、作業者によらずはんだの品質が安定する。
【００２６】
タイマ４に警報器がある場合は、計測した加熱時間が予め設定した時間に達すると警報器が警報を発するので、うっかり対象物Ｔを加熱し過ぎることが防止される。従って、従来のように対象物が劣化したり破壊されたりするおそれがなくなる。
【００２７】
また、タイマ４が計測を開始するときの弾性部材３の変形の大きさをコテ先１から対象物Ｔに適正な荷重がかかったときの大きさとしたので、作業者は表示器７に表示が出たことで適正な荷重がかかっていることを知ることができる。よって、荷重のかけ過ぎで対象物Ｔに不具合が生じることも防止される。
【００２８】
次に、本発明の他の実施の形態を説明する。
【００２９】
図３に示したはんだごては、タイマ４（表示器７も含む）を外部に設けたものである。コテ先１、保持部２、弾性部材３については図１と同じなので説明を省略する。タイマ４はスイッチ５からの信号を配線８によって受け取るようになっている。
【００３０】
この形態では、タイマ４がはんだごての本体であるコテ先１や保持部２と別体になっているので、タイマ４を作業者が見やすい場所に設置することができる。
【００３１】
本発明は、ロボットによる自動はんだ付け装置に適用することができる。この場合、タイマ４で計測した加熱時間をロボットの制御装置に伝送することにより、実際にロボットが適正な時間でコテ先１を対象物Ｔに接触させているかどうかを監視するなど、ロボット動作の日常点検や異常動作の発見に役立てることができる。
【図面の簡単な説明】
【００３２】
【図１】本発明の一実施形態を示すはんだごての構成図である。
【図２】本発明の一実施形態を示すはんだごて（押圧時）の構成図である。
【図３】本発明の他の実施形態を示すはんだごての構成図である。
【符号の説明】
【００３３】
１  コテ先
２  保持部
３  弾性部材
４  タイマ
５  スイッチ
【図１】
2005334966.tif 000003
【図２】
2005334966.tif 000004
【図３】
2005334966.tif 000005